(57)【要約】【課題】本発明の一実施形態は光源の光線を集光する集光レンズおよびその集光レンズを備える照明装置に関する。【解決手段】集光装置は、光線の発射角度に応じて光線を複数の第１入射部に選択的に入射させることができ、複数の第１入射部によって屈折された光線を複数の第２入射部に全反射させた後、複数の第３入射部で再び屈折させることができる。【選択図】      図１
2013054342.tif 000002
【特許請求の範囲】
【請求項１】
光源の光線を集光させる集光レンズにおいて、
前記光源から発射される光線および前記集光レンズの光軸の間に形成される発射角度に応じて前記光線を選択的に入射させる複数の屈折面を備える第１入射部と、
前記第１入射部に入射された光線のうち、前記発射角度が設定角度よりも大きい光線を前方に全反射させる複数の全反射面を備える第２入射部と、
前記第２入射部で全反射された光線および前記第２入射部によって全反射されていない光線を入射させて前記光線を前方に屈折させる複数の屈折面を備える第３入射部と、
を備えることを特徴とする集光レンズ。
【請求項２】
前記第１入射部は、
前記光源の光線のうち、前記発射角度が第１設定角度よりも小さい光線が入射されるように前記光源の前方に配置される第１屈折面と、
前記光源の光線のうち、前記発射角度が前記第１設定角度以上であり、第２設定角度よりも小さい光線が入射されるように前記第１屈折面の外側に取り囲む形状に配置される第２屈折面と、
前記光源の光線のうち、前記発射角度が前記第２設定角度以上である光線が入射されるように前記第２屈折面の外側に取り囲む形状に配置される第３屈折面と、
を備えることを特徴とする請求項１に記載の集光レンズ。
【請求項３】
前記第１屈折面は、前記光軸と直交する断面形状に形成されることを特徴とする請求項２に記載の集光レンズ。
【請求項４】
前記第２屈折面は、前記光軸と平行な断面形状に形成されることを特徴とする請求項２または３に記載の集光レンズ。
【請求項５】
前記第３屈折面は、前記光源を原点とする円形の断面形状に形成されることを特徴とする請求項２から４の何れか１項に記載の集光レンズ。
【請求項６】
前記第２入射部は、
前記第２屈折面に入射された光線が前方に全反射されるように前記第２屈折面の外側に取り囲む形状に配置される第１全反射面と、
前記第３屈折面に入射された光線が前記光軸と平行となるように前方に全反射されるように前記第３屈折面の外側に取り囲む形状に配置される第２全反射面と、
を備えることを特徴とする請求項２から５の何れか１項に記載の集光レンズ。
【請求項７】
前記第１全反射面または前記第２全反射面のうち少なくとも１つは、前記光源を原点とする放物型の断面形状に形成されることを特徴とする請求項６に記載の集光レンズ。
【請求項８】
前記第３入射部は、
前記第１屈折面に入射された光線および前記第１全反射面で全反射された光線が入射されるように前記第１屈折面および前記第１全反射面の前方に配置される第４屈折面と、
前記第２全反射面から反射された光線が入射されるように前記第２全反射面の前方に配置される第５屈折面と、
を備えることを特徴とする請求項６または７に記載の集光レンズ。
【請求項９】
前記第４屈折面は、前記第１屈折面に入射された光線および前記第１全反射面から全反射された光線を前記光軸と平行となるように屈折させる、前方に突出するような曲線の断面形状に形成されることを特徴とする請求項８に記載の集光レンズ。
【請求項１０】
前記第５屈折面は、前記第２全反射面から全反射された光線を前記光軸と平行となるように屈折させる、前記光軸と直交する断面形状に形成されることを特徴とする請求項８または９に記載の集光レンズ。
【請求項１１】
請求項１〜１０のいずれか１項に記載の集光レンズと、
前記集光レンズに光線を提供するように前記集光レンズの後方に配置される発光素子と、
前記発光素子が実装される回路基板と、
を備えることを特徴とする照明装置。
【請求項１２】
請求項１〜１０いずれか１に記載の集光レンズが形成されるレンズカバーと、
前記集光レンズに光線を提供するように前記集光レンズの後方に配置される発光素子と、
前記発光素子が実装された回路基板と、を備え、
前記発光素子は、前記回路基板の互いに異なる位置にそれぞれ配置し、前記集光レンズは前記レンズカバーに前記発光素子と対応する位置にそれぞれ形成されることを特徴とする照明装置。
【発明の詳細な説明】
【技術分野】
【０００１】
本発明は、集光レンズおよびその集光レンズを備える照明装置に関し、より詳しくは集光レンズのコンパクト化の実現を可能にし、複数の集光レンズを１つの部品に容易に製造できる集光レンズおよびその集光レンズを備える照明装置に関する。
【背景技術】
【０００２】
発光素子（ＬＥＤ、Ｌｉｇｈｔ  Ｅｍｉｔｔｉｎｇ  Ｄｉｏｄｅ）は電流の流れる時に光を発散する半導体素子であって、ガリウムヒ素（ＧａＡｓ）、ガリウムナイトライド（ＧａＮ）光半導体からなるＰＮ接合ダイオードとして、前記エネルギを光エネルギに切り替える電子部品である。
【０００３】
近年、物理的かつ化学的な特性に優れる窒化物を用いて実現された青色ＬＥＤおよび紫外線ＬＥＤが登場し、また、青色または紫外線ＬＥＤと蛍光物質を用いて白色光または他の単色光を製造することができ、発光素子の応用範囲が拡大している。
【０００４】
発光素子は寿命が長くて小型化および軽量化が可能であり、光の指向性が強く、低電圧で駆動できるという長所を有する。また、衝撃および振動に強く、予熱時間および複雑な駆動が不要であるため様々な用途で適用できる。例えば、最近、ＬＥＤの適用範囲はモバイル端末の小型照明において室内／屋外の一般照明、自動車照明、大型ＬＣＤ用バックライトなどに至るまで、その適用範囲が拡大している。
【０００５】
ＬＥＤで発散する光線を集光する方式は、２次レンズの１次入射面が１つの直線から構成され、これを用いて２次入射面で全反射させて集光する方式が一般的である。このような従来の方式は、レンズのサイズが増大する短所があり、別途のキャップ（ｃａｐ）を製造して単一レンズとして用いる短所がある。
【０００６】
したがって、最近では集光性能が低下することなくレンズのサイズを減少させることができ、単一レンズおよびレンズアレイで全て利用可能な集光レンズが切実に要求される実状である。
【発明の概要】
【発明が解決しようとする課題】
【０００７】
本発明の目的は、集光レンズをコンパクトに形成することのできる集光レンズおよびその集光レンズを備える照明装置を提供することにある。
【０００８】
また、本発明の目的は、単一レンズおよび統合レンズとしてのレンズアレイを全て製造することのできる集光レンズおよびその集光レンズを備える照明装置を提供することにある。
【課題を解決するための手段】
【０００９】
本発明の実施形態は光源の光線を集光させる集光レンズに関する。
【００１０】
本発明の実施形態によると、前記光源から発射される光線および前記集光レンズの光軸の間に形成される発射角度に応じて前記光線を選択的に入射させる複数の屈折面を備える第１入射部と、前記第１入射部に入射された光線のうち、前記発射角度が設定角度よりも大きい光線を前方に全反射させる複数の全反射面を備える第２入射部と、前記第２入射部で全反射された光線および前記第２入射部によって全反射されていない光線を入射させて前記光線を前方に屈折させる複数の屈折面を備える第３入射部とを備える集光レンズを提供する。
【００１１】
一実施形態によると、前記第１入射部は、前記光源の光線のうち、前記発射角度が第１設定角度よりも小さい光線が入射されるように前記光源の前方に配置される第１屈折面と、前記光源の光線のうち、前記発射角度が前記第１設定角度以上であり、第２設定角度よりも小さい光線が入射されるように前記第１屈折面の外側に取り囲む形状に配置される第２屈折面と、前記光源の光線のうち、前記発射角度が前記第２設定角度以上である光線が入射されるように前記第２屈折面の外側に取り囲む形状に配置される第３屈折面とを備えてもよい。
【００１２】
前記第１屈折面は、前記光軸と直交する断面形状に形成されてもよい。前記第２屈折面は、前記光軸と平行な断面形状に形成されてもよい。前記第３屈折面は、前記光源を原点とする円形の断面形状に形成されてもよい。
【００１３】
一実施形態によると、前記第２入射部は、前記第２屈折面に入射された光線が前方に全反射されるように前記第２屈折面の外側に取り囲む形状に配置される第１全反射面と、前記第３屈折面に入射された光線が前記光軸と平行となるように前方に全反射されるように前記第３屈折面の外側に取り囲む形状に配置される第２全反射面とを備えてもよい。
【００１４】
前記第１全反射面または前記第２全反射面のうち少なくとも１つは、前記光源を原点とする放物型の断面形状に形成されてもよい。
【００１５】
一実施形態によると、前記第３入射部は、前記第１屈折面に入射された光線および前記第１全反射面で全反射された光線が入射されるように前記第１屈折面および前記第１全反射面の前方に配置される第４屈折面と、前記第２全反射面から反射された光線が入射されるように前記第２全反射面の前方に配置される第５屈折面とを備えてもよい。
【００１６】
前記第４屈折面は、前記第１屈折面に入射された光線および前記第１全反射面から全反射された光線が前記光軸と平行となるように屈折させる、前方に突出するような曲線の断面形状に形成されてもよい。また、前記第５屈折面は、前記第２全反射面から全反射された光線が前記光軸と平行となるように屈折させる、前記光軸と直交する断面形状に形成されてもよい。
【００１７】
一方、本発明の他の実施形態によると、前述した集光レンズと、前記集光レンズに光線を提供するように前記集光レンズの後方に配置される発光素子と、前記発光素子が実装される回路基板とを備える照明装置が提供される。
【００１８】
また、本発明の更なる実施形態によると、前述した集光レンズが形成されるレンズカバーと、前記集光レンズに光線を提供するように前記集光レンズの後方に配置される発光素子と、前記発光素子が実装された回路基板とを備える照明装置が提供される。ここで、前記発光素子は、前記回路基板の互いに異なる位置にそれぞれ配置し、前記集光レンズは前記レンズカバーに前記発光素子と対応する位置にそれぞれ形成されてもよい。
【発明の効果】
【００１９】
本発明の一実施形態に係る集光レンズおよびその集光レンズを備える照明装置は、集光レンズをコンパクトに形成することができ、照明装置の小型化を実現することができる。すなわち、本発明の一実施形態によると、集光性能が低下することなく集光レンズをコンパクトに製造できるため、照明装置のサイズを小さく形成することができ、照明装置の設計自由度および設置空間の確保にも有利である。
【００２０】
また、本発明の一実施形態に係る集光レンズおよびその集光レンズを備える照明装置は、１つの集光レンズが１つの発光素子にそれぞれ装着される単一レンズとして用いられるだけではなく、複数の集光レンズを統合させた統合レンズとして用いられる。すなわち、本発明の一実施形態によると、集光レンズの拡張性を向上させることができる。
【００２１】
上記のような統合レンズは、複数の集光レンズを１つの部品に一体化させたレンズアレイであり、複数の発光素子を用いる場合に集光レンズの製造費用に対する負担および作業工程の全てを低減することができる。
【図面の簡単な説明】
【００２２】
【図１】本発明の一実施形態に係る集光レンズを示す断面図である。
【図２】図１に示された集光レンズによって光源の光線が集光される状態を示す状態図夷である。
【図３】本発明の一実施形態に係る集光レンズが備えられた照明装置の一例を示す断面図である。
【図４】本発明の一実施形態に係る集光レンズが備えれた照明装置の他の例を示す断面図である。
【発明を実施するための形態】
【００２３】
以下、本発明に係る実施形態を添付する図面を参照しながら詳説する。しかし、本発明が実施形態によって制限されたり限定されることはない。各図面に提示された同一の参照符号は同一の部材を示す。
【００２４】
図１は本発明の一実施形態に係る集光レンズ１００を示す断面図であり、図２は図１に示された集光レンズ１００によって光源１０の光線Ｒが集光される状態を示す状態図である。
【００２５】
図１および図２を参照すると、本発明の一実施形態に係る集光レンズ１００は、光源１０の光線Ｒを集光させる光学部材として、集光レンズ本体１１０、第１入射部１２０、第２入射部１３０、および第３入射部１４０を備える。
【００２６】
光源１０は光線Ｒを発生する物体であり、一般的に発光素子が光源１０として用いられる。以下、本実施形態では電流を光に切り替える発光素子１０の周囲に蛍光体を配置したＬＥＤパッケージタイプの光源１０を用いるものと説明するが、これに限定されることなく設計条件に応じて多様な光源１０を用いてもよい。
【００２７】
集光レンズ本体１１０は光源１０の前方に配置される部材として、光線Ｒが通過する透明素材で形成してもよい。集光レンズ本体１１０は光源１０を覆う構造で形成してもよい。
【００２８】
図１および図２を参照すると、第１入射部１２０は、光源１０から発射される光線Ｒおよび集光レンズ１００の光軸Ａの間に形成された発射角度θに応じて光線Ｒを選択的に入射させる複数の屈折面１２２、１２４、１２６を備える。
【００２９】
ここで、光軸Ａは、複屈折を引き起こさない光線Ｒの経路または光学系を回転させても光学的に差異の生じない軸を意味する。図１および図２に示すように、本実施形態に係る集光レンズ１００の光軸Ａは光源１０の中心から前方に向かう直線形状に形成される。
【００３０】
そして、発射角度θは光線Ｒと光軸Ａとの間に形成される角度である。したがって、光線Ｒの発射角度θが小さくなるにつれて光線Ｒは前方に発射され、光線Ｒの発射角度θが大きくなるにつれて光線Ｒは左右方向に傾斜するように発射される。
【００３１】
一側面によると、第１入射部１２０は、第１屈折面１２２、第２屈折面１２４、および第３屈折面１２６を備えてもよい。以下、本実施形態では第１屈折面１２２、第２屈折面１２４、および第３屈折面１２６が集光レンズ本体１１０の後方に光軸Ａを中心に同心円構造に配置されるものと説明するが、これに限定されることなく集光レンズ１００の設計条件および状況に応じて多様に変形され得る。
【００３２】
第１屈折面１２２は、光源１０の光線Ｒのうち発射角度θが第１設定角度θ１よりも小さい第１光線Ｒ１が入射される面である。第１屈折面１２２は光源１０の前方に対向するよう配置されてもよい。このような第１屈折面１２２は、光軸Ａと直交する断面の形状に形成されてもよい。例えば、第１屈折面１２２は光軸Ａが中心を貫通する円板形状に形成される。
【００３３】
第２屈折面１２４は、光源１０の光線Ｒのうち発射角度θが第１設定角度θ１以上であり、第２設定角度θ２よりも小さい第２光線Ｒ２が入射される面である。第２屈折面１２４は、第１屈折面１２２の外側に取り囲む形状に配置されてもよい。このような第２屈折面１２４は光軸Ａと平行な断面形状に形成されてもよい。例えば、第２屈折面１２４は第１屈折面１２２の端に沿って光軸Ａと平行な構造の円筒形状に形成される。
【００３４】
第３屈折面１２６は、光源１０の光線Ｒのうち発射角度θが第２設定角度θ２以上である第３光線Ｒ３が入射される面である。第３屈折面１２６は第２屈折面１２４の外側に取り囲む形状に配置されてもよい。このような第３屈折面１２６は光源１０を原点とする円形の断面形状を有してもよい。例えば、第３屈折面１２６は第２屈折面１２４の外側を取り囲む筒形状に形成されるが、第３光線Ｒ３の入射される部分が光源１０を中心にする球形の面に形成されてもよい。
【００３５】
図１および図２を参照すると、第２入射部１３０は、第１入射部１２０に入射された光線Ｒのうち、発射角度θが第１設定角度θ１よりも大きい第２光線Ｒ２と第３光線Ｒ３を前方に全反射させる複数の全反射面１３２、１３４を備えてもよい。
【００３６】
一側面によると、第２入射部１３０は第１全反射面１３２および第２全反射面１３４を備えてもよい。
【００３７】
第１全反射面１３２は、第２屈折面１２４に入射された第２光線Ｒ２を前方に全反射させる面である。第１全反射面１３２は第２屈折面１２４の外側に取り囲む形状に配置されてもよい。
【００３８】
第２全反射面１３４は、第３屈折面１２６に入射された第３光線Ｒ３を光軸Ａと平行となるように前方に全反射させる面である。第２全反射面１３４は第３屈折面１２６の外側に取り囲む形状に形成されてもよい。
【００３９】
上記のような第１全反射面１３２または第２全反射面１３４のうち少なくとも１つは、光源１０を原点とする放物型の断面形状に形成されてもよい。以下、本実施形態では、第１全反射面１３２と第２全反射面１３４の全てが放物型の断面形状に形成されたものとして説明する。
【００４０】
図１および図２を参照すると、第３入射部１４０は、第２入射部１３０で全反射された第２光線Ｒ２と第３光線Ｒ３、および第２入射部１３０によって全反射されていない第１光線Ｒ１を入射させ、光線Ｒを光軸Ａと平行となるように前方に屈折させる複数の屈折面１４２、１４４を備えてもよい。
【００４１】
一側面によると、第３入射部１４０は第４屈折面１４２および第５屈折面１４４を備えてもよい。
【００４２】
第４屈折面１４２は、第１屈折面１２２に入射された第１光線Ｒ１および第１全反射面１３２で全反射された第２光線Ｒ２が入射される面である。第４屈折面１４２は、第１屈折面１２２と第１全反射面１３２の前方に配置されてもよい。このような第４屈折面１４２は、第１光線Ｒ１と第２光線Ｒ２を光軸Ａと平行な方向に屈折させるため、前方に突出した曲線の断面形状に形成されてもよい。
【００４３】
第５屈折面１４４は、第２全反射面１３４で反射された第３光線Ｒ３が入射される面である。第５屈折面１４４は第２全反射面１３４の前方に配置されてもよい。このような第５屈折面１４４は、第３光線Ｒ３を光軸Ａと平行な方向に屈折させるため光軸Ａと直交する断面形状に形成されてもよい。
【００４４】
上記のように構成された本発明の実施形態に係る集光レンズ１００の作用を説明すると次の通りである。
【００４５】
光源１０で発散される光線Ｒのうち第１光線Ｒ１は、第１設定角度θ１よりも小さい発射角度θとして、第１入射部１２０の第１屈折面１２２に入射される。このような第１光線Ｒ１は第１屈折面１２２で発射角度θが減少される方向に１次屈折される。
【００４６】
その後、第１光線Ｒ１は集光レンズ本体１１０を通過した後、第３入射部１４０の第４屈折面１４２に入射される。このような第１光線Ｒ１は第４屈折面１４２で発射角度θが減少される方向に２次屈折され、その過程において、第１光線Ｒ１は、光軸Ａと平行な状態で集光レンズ１００の前方に発射される。
【００４７】
光源１０で発散される光線Ｒのうち第２光線Ｒ２は、第１設定角度θ１以上であり、第２設定角度よりも小さい発射角度θに第１入射部１２０の第２屈折面１２４に入射される。このような第２光線Ｒ２は第２屈折面１２４で発射角度θが増加する方向に１次屈折される。
【００４８】
その後、第２光線Ｒ２は集光レンズ本体１１０を通過した後、第２入射部１３０の第１全反射面１３２で発射角度が減少される方向に反射される。このとき、第２光線Ｒ２は第１全反射面１３２によって前方に反射するが、光軸Ａとほぼ平行な方向に反射される。
【００４９】
反射された第２光線Ｒ２は集光レンズ本体１１０を通過した後、第３入射部１４０の第４屈折面１４２に入射される。このような第２光線Ｒ２は、第４屈折面１４２で発射角度θが減少される方向に２次屈折され、その過程において、第２光線Ｒ２は光軸Ａと平行な状態で集光レンズ１００の前方に発射される。
【００５０】
光源１０で発散される光線Ｒのうち第３光線Ｒ３は、第２設定角度θ２以上の発射角度θとして、第１入射部１２０の第３屈折面１２６に入射される。このような第３光線Ｒ３は第３屈折面１２６で発射角度θが屈折されない。なぜならば、第３屈折面１２６が光源１０を中心にする円形の断面に形成されて第３光線Ｒ３が第３屈折面１２６に垂直に入射されるためである。
【００５１】
その後、第３光線Ｒ３は集光レンズ本体１１０を通過した後、第２入射部１３０の第２全反射面１３４で発射角度が減少される方向に反射される。このとき、第３光線Ｒ３は、第２全反射面１３４によって前方に反射されるが、光軸Ａと平行な方向に反射される。
【００５２】
反射された第３光線Ｒ３は集光レンズ本体１１０を通過した後、第３入射部１４０の第５屈折面１４４に入射される。このような第３光線Ｒ３は、第５屈折面１４４で屈折されることなくそのまま集光レンズ１００の前方に発射される。なぜならば、第５屈折面１４４が光軸Ａに直交する平面形状の断面で形成されて第３光線Ｒ３が第５屈折面１４４に垂直に入射されるためである。
【００５３】
上記で説明したように、光源１０の光線Ｒは発射角度θによって互いに異なる経路を介して屈折または反射されることによって、集光レンズ１００の前方に光軸Ａと平行となるよう発射されることで、従来の集光レンズよりも小さく形成され得る。
【００５４】
図３は、本発明の一実施形態に係る集光レンズ１００が備えられた照明装置２００の一例を示す断面図である。参考に、図３において、図１および図２に示す参照符号と同一または類似の参照符号は同一の部材を示す。
【００５５】
図３を参照すると、本発明の一実施形態に係る照明装置２００は、集光レンズ１００、発光素子１０、および回路基板２１０を備える。集光レンズ１００は、図１および図２に示す集光レンズ１００と同一および類似の構成であり、発光素子１０も図１および図２に示す光源１０に該当する部材であるため、集光レンズ１００および発光素子１０の詳説は省略する。
【００５６】
発光素子１０は集光レンズ１００の後方に配置されてもよく、回路基板２１０に実装されてもよい。回路基板２１０は発光素子１０の作動を制御するための回路を備えてもよい。また、集光レンズ１００も回路基板２１０上に安定的に装着され得る。
【００５７】
本実施形態に係る照明装置２００は、単数個の回路基板２１０上に複数の発光素子１０が互いに異なる位置に配置し、それぞれの発光素子１０に集光レンズ１００が装着される。すなわち、集光レンズ１００は複数の発光素子１０にそれぞれ装着される単一レンズとして用いることができる。
【００５８】
上記のような照明装置２００の集光レンズ１００がコンパクトに構成されているため、照明装置２００は従来の照明装置よりも小さいサイズで形成され得る。
【００５９】
図４は、本発明の一実施形態に係る集光レンズ１００が備えられた照明装置３００の他の例を示す断面図である。参考に、図４において、図１および図２に示す参照符号と同一および類似の参照符号は同一の部材を示す。
【００６０】
図４を参照すると、本発明の他の実施形態に係る照明装置３００はレンズカバー３２０、発光素子１０、および回路基板３１０を備える。
【００６１】
レンズカバー３２０には複数の集光レンズ１００を形成してもよい。集光レンズ１００は、図１および図２に示す集光レンズ１００と同一および類似の構成であり、発光素子１０も図１および図２に示す光源１０に該当する部材であるため、集光レンズ１００および発光素子１０の詳説は省略する。
【００６２】
発光素子１０は集光レンズ１００の後方に配置されてもよく、回路基板３１０に複数が実装されてもよい。回路基板３１０は発光素子１０の作動を制御するための回路を備えてもよい。また、レンズカバー３２０も回路基板３１０上に安定的に装着され得る。
【００６３】
本実施形態に係る照明装置３００は、単数個の回路基板３１０上に複数の発光素子１０を互いに異なる位置に配置してもよく、単数個のレンズカバー３２０によって複数の発光素子１０が覆われる構造で形成してもよい。上記のようなレンズカバー３２０には複数の発光素子１０に対応する位置に集光レンズ１００をそれぞれ形成してもよい。したがって、レンズカバー３２０はレンズアレイのような統合レンズとして複数の集光レンズ１００が一体に形成されるため、照明装置３００の全体部品数および組立工数を減らすことができる。
【００６４】
上記のような照明装置３００のレンズカバー３２０がコンパクトに構成されることから、照明装置３００は従来の照明装置よりも小さいサイズで形成されることが可能である。
【００６５】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。したがって、本発明の範囲は、開示された実施形態に限定されるものではなく、特許請求の範囲だけではなく特許請求の範囲と均等なものなどによって定められるものである。
【符号の説明】
【００６６】
１０      光源、発光素子
１００      集光レンズ
１１０      集光レンズ本体
１２０      第１入射部
１３０      第２入射部
１４０      第３入射部
２００、３００      照明装置
２１０、３１０      回路基板
３２０      レンズカバー
Ａ      光軸
Ｒ      光線
θ      発射角度
【図１】
2013054342.tif 000003
【図２】
2013054342.tif 000004
【図３】
2013054342.tif 000005
【図４】
2013054342.tif 000006